(57)【要約】【課題】より確実にユーザにデータの送信に失敗したことを知らしめることが可能な携帯端末装置および光源制御プログラムを提供する。【解決手段】携帯端末装置１００であって、外部からの指示を受け付ける操作部１３−１と、外部からの指示に応じてデータを送信する送信部１５−１と、情報を表示する表示部１２１−１と、表示部１２１−１を照らす第１の光源１２２−１と、外部からの指示が第１の所定期間入力されない場合に、第１の光源を消灯させる第１の消灯手段１１−２と、データの送信動作が開始されると、第１の消灯手段１１−２を無効化する第１の無効化手段１１−３と、データの送信が成功したか否かを判断する判断手段１１−４と、データの送信が成功したと判断された場合に、第１の消灯手段１１−２を有効化する第１の有効化手段１１−５とを備える。【選択図】図３
2009118312.tif 000002
【特許請求の範囲】
【請求項１】
外部からの指示を受け付ける操作部と、
データを送信する送信部と、
情報を表示する表示部と、
前記表示部から発光するための光を発する第１の光源と、
外部からの指示が第１の所定期間入力されない場合に、前記第１の光源を消灯させる第１の消灯手段と、
前記データの送信動作が開始されると、前記第１の消灯手段を無効化する第１の無効化手段と、
前記データの送信が成功したか否かを判断する判断手段と、
前記データの送信が成功したと判断された場合に、前記第１の消灯手段を有効化する第１の有効化手段とを備える、携帯端末装置。
【請求項２】
前記第１の有効化手段は、前記データの送信が失敗したと判断された場合であっても、外部からの指示が入力されると前記第１の消灯手段を有効化する、請求項１に記載の携帯端末装置。
【請求項３】
外部からの指示を受け付ける操作部と、
データを送信する送信部と、
情報を表示する表示部と、
前記表示部から発光するための光を発する第１の光源と、
外部からの指示が第１の所定期間入力されない場合に、前記第１の光源を消灯させる第１の消灯手段と、
前記データの送信が成功したか否かを判断する判断手段と、
前記データの送信が失敗したと判断された場合に、前記第１の消灯手段を無効化する第２の無効化手段と、
前記第１の消灯手段が無効化されているときに、外部からの指示が入力されると前記第１の消灯手段を有効化する第２の有効化手段とを備える、携帯端末装置。
【請求項４】
前記操作部を照らす第２の光源をさらに備え、
前記第１の消灯手段は、外部からの指示が前記第１の所定期間入力されない場合に、前記第２の光源をさらに消灯させる、請求項１から３のいずれか１項に記載の携帯端末装置。
【請求項５】
前記データの送信動作中は、前記第１の所定期間経過前であっても、前記第２の光源を消灯させる第２の消灯手段をさらに備える、請求項４に記載の携帯端末装置。
【請求項６】
前記データの送信が失敗したと判断された場合に、外部からの指示が入力されるまで前記第１の光源を点滅させる点滅手段をさらに備える、請求項１から５のいずれか１項に記載の携帯端末装置。
【請求項７】
前記点滅手段は、前記データの送信が失敗したと判断された場合に、外部からの指示が入力されるまで前記第２の光源を点滅させる、請求項６に記載の携帯端末装置。
【請求項８】
外部からの指示を受け付ける操作部と、
データを送信する送信部と、
情報を表示する表示部と、
前記表示部から発光するための光を発する第１の光源と、
前記操作部を照らす第２の光源と、
前記データの送信状態を検出する検出手段と、
前記データの送信状態に基づき、前記データの送信開始から前記データの送信が成功するまで、前記第１の光源および前記第２の光源の少なくともいずれかを点灯状態に維持する光源制御手段とを備える、携帯端末装置。
【請求項９】
前記光源制御手段は、前記データの送信が失敗した場合であっても、外部からの指示が入力されると前記点灯状態を解除する、請求項８に記載の携帯端末装置。
【請求項１０】
前記光源制御手段は、前記データの送信動作中は前記第２の光源を消灯させる、請求項８または９に記載の携帯端末装置。
【請求項１１】
前記光源制御手段は、前記データの送信が失敗した場合に、外部からの指示が入力されるまで前記第１の光源を点滅させる、請求項８から１０のいずれか１項に記載の携帯端末装置。
【請求項１２】
前記光源制御手段は、前記データの送信が失敗した場合に、外部からの指示が入力されるまで前記第２の光源を点滅させる、請求項８から１１のいずれか１項に記載の携帯端末装置。
【請求項１３】
前記データの送信が失敗したと判断された場合に、外部からの指示が入力されるまで音声による警告を発するスピーカをさらに備える、請求項１から１２のいずれか１項に記載の携帯端末装置。
【請求項１４】
前記データの送信が失敗したと判断された場合に、外部からの指示が入力されるまで前記携帯端末装置を振動させる振動装置をさらに備える、請求項１から１３のいずれか１項に記載の携帯端末装置。
【請求項１５】
データ送信可能な携帯端末装置に、データの送信状態に応じて第１の光源を点灯もしくは消灯させる光源制御プログラムであって、
前記携帯端末装置は、
外部からの指示を受け付ける操作部と、
データを送信する送信部と、
情報を表示する表示部と、
前記表示部から発光するための光を発する第１の光源とを備え、
前記プログラムは、前記携帯端末装置に、
外部からの指示が第１の所定期間入力されない場合に、前記第１の光源を消灯させるステップと、
前記データの送信動作が開始されると、前記消灯させるステップを無効化するステップと、
前記データの送信が成功したか否かを判断するステップと、
前記データの送信が成功したと判断された場合に、前記消灯させるステップを有効化するステップと実行させる、光源制御プログラム。
【請求項１６】
データ送信可能な携帯端末装置に、データの送信状態に応じて第１の光源を点灯もしくは消灯させる光源制御プログラムであって、
前記携帯端末装置は、
外部からの指示を受け付ける操作部と、
データを送信する送信部と、
情報を表示する表示部と、
前記表示部から発光するための光を発する第１の光源とを備え、
前記プログラムは、前記携帯端末装置に、
第１の所定期間外部からの指示が入力されない場合に、前記第１の光源を消灯させるステップと、
前記データの送信が成功したか否かを判断するステップと、
前記データの送信が失敗したと判断された場合に、前記消灯させるステップを無効化するステップと、
外部からの指示が入力されると前記消灯させるステップを有効化するステップとを実行させる、光源制御プログラム。
【発明の詳細な説明】
【技術分野】
【０００１】
本発明は、データ送信可能な携帯端末装置および当該携帯端末装置に用いられる光源制御プログラムに関し、特に表示部もしくは操作部に光源が備えられているデータ送信可能な携帯端末装置および当該携帯端末装置に用いられる光源制御プログラムに関する。
【背景技術】
【０００２】
携帯電話、ノート型のパーソナルコンピュータ、ＰＤＡ（Personal Digital Assistant）などの携帯端末装置は、そのほとんどが電子メール送信機能を有している。近年では、携帯電話やＰＤＡなどの携帯端末装置には、他の携帯電話やパーソナルコンピュータやＰＤＡなどと電子メールのやり取りが可能な電子メール送受信機能が必須となっている。
【０００３】
一般的に、これらの携帯端末装置は表示部と操作部を有している。暗所であっても表示部や操作部の視認性を損なわないようにするため、表示部や操作部の背面に光源を備えている携帯端末装置も多い。これらの光源は情報機器のＣＰＵ（Central Processing Unit）などによって制御されている。ユーザが最後に電子機器を操作してから一定時間が経過した場合、ＣＰＵは省電力モードに移行して光源を消灯する。このような構成によって、携帯端末装置の消費電力を低減させている。
【０００４】
しかし、長時間の処理を行っている場合、たとえばユーザが所望する操作に必要な操作キーを探す際において操作部が点灯している時間内にユーザによって次の操作が行えなかった場合、操作中にも関わらず表示部と操作部が消灯してしまうことがある。つまり、ユーザが操作中であるにもかかわらず、携帯端末装置が視認性を大きく損なってしまうという不具合があった。
【０００５】
そこで、特開平１１−２７５２０２号公報（特許文献１）では、所定指示の発生時から設定時間が経過するまでの間、照明を点灯するように制御する電子機器が開示されている。電子機器は、キースイッチの操作間隔が長くなる傾向にある特定の処理モードの実行を判定する判定手段と、該判定手段によって特定の処理モードの実行が判定されたとき前記設定時間の経過判定を繰り返す繰り返し手段と、を備える。特定の処理モードの実行が判定されたとき、設定時間の照明制御を繰り返すので、特定の処理モード実行中の消灯を回避でき、使い勝手を改善して誤操作を回避できる。
【特許文献１】特開平１１−２７５２０２号公報
【発明の開示】
【発明が解決しようとする課題】
【０００６】
しかしながら、従来の一般的な携帯端末装置では、たとえば電子メール送信機能とこの省電力モードの機能が別々に動作しており、例えば、電子メールの送信に失敗した場合であっても省電力モードに移行してしまい、ユーザが電子メールの送信に失敗したことに気付かないという不具合が生じていた。これは、電波状況によっては、ユーザが最後の操作を行ってから省電力モードへ移行するまでの時間の方が、電子メールの送信動作が完了するまでの時間よりも短いことが起こり得るからである。そのため、電子メールの送信に成功した場合であっても、ユーザが電子メールの送信に成功したことを確認するために表示部を再度点灯させる必要があった。このように、従来の一般的な携帯端末装置はユーザに煩わしい確認作業を強いるものであった。
【０００７】
そして、特開平１１−２７５２０２号公報（特許文献１）に記載の電子機器においても、特定処理モードである場合と特定処理モードではない場合とで異なる設定時間を設けているに過ぎず、電子メールの送信に失敗した場合であっても設定時間後には照明が消えてしまい、ユーザが電子メールの送信に失敗したことに気付かない。また、特開平１１−２７５２０２号公報（特許文献１）に記載の電子機器においては、特定処理モードを実行中の場合はユーザによる操作が必要ないときでも表示部と操作部の両方を点灯し続けるために、消費電力が大きくなるという課題がある。
【０００８】
本発明は前記課題を解決するためになされたものであって、本発明の主たる目的は、より確実にユーザにデータの送信に失敗したことを知らしめることが可能な携帯端末装置および光源制御プログラムを提供することである。
【課題を解決するための手段】
【０００９】
本発明の１つの局面に従うと、外部からの指示を受け付ける操作部と、データを送信する送信部と、情報を表示する表示部と、表示部から発光するための光を発する第１の光源と、外部からの指示が第１の所定期間入力されない場合に、第１の光源を消灯させる第１の消灯手段と、データの送信動作が開始されると、第１の消灯手段を無効化する第１の無効化手段と、データの送信が成功したか否かを判断する判断手段と、データの送信が成功したと判断された場合に、第１の消灯手段を有効化する第１の有効化手段とを備える、携帯端末装置が提供される。
【００１０】
この局面によれば、データの送信動作が開始されてからデータの送信が成功するまで第１の光源が消灯されないため、ユーザがデータの送信結果を、特にデータの送信に失敗したことを認識し易くなる。
【００１１】
好ましくは、第１の有効化手段は、データの送信が失敗したと判断された場合であっても、外部からの指示が入力されると第１の消灯手段を有効化する。
【００１２】
この発明の別の局面に従うと、外部からの指示を受け付ける操作部と、データを送信する送信部と、情報を表示する表示部と、表示部から発光するための光を発する第１の光源と、外部からの指示が第１の所定期間入力されない場合に、第１の光源を消灯させる第１の消灯手段と、データの送信が成功したか否かを判断する判断手段と、データの送信が失敗したと判断された場合に、第１の消灯手段を無効化する第２の無効化手段と、第１の消灯手段が無効化されているときに、外部からの指示が入力されると第１の消灯手段を有効化する第２の有効化手段とを備える、携帯端末装置が提供される。
【００１３】
この局面によれば、データの送信が失敗してから外部からの指示が入力されるまで第１の光源が消灯されないため、ユーザがデータの送信結果を、特にデータの送信に失敗したことを認識し易くなる。
【００１４】
好ましくは、操作部を照らす第２の光源をさらに備え、第１の消灯手段は、外部からの指示が第１の所定期間入力されない場合に、第２の光源をさらに消灯させる。
【００１５】
好ましくは、データの送信動作中は、第１の所定期間経過前であっても、第２の光源を消灯させる第２の消灯手段をさらに備える。
【００１６】
好ましくは、データの送信が失敗したと判断された場合に、外部からの指示が入力されるまで第１の光源を点滅させる点滅手段をさらに備える。
【００１７】
好ましくは、点滅手段は、データの送信が失敗したと判断された場合に、外部からの指示が入力されるまで第２の光源を点滅させる。
【００１８】
この発明のさらに別の局面に従うと、外部からの指示を受け付ける操作部と、データを送信する送信部と、情報を表示する表示部と、表示部から発光するための光を発する第１の光源と、操作部を照らす第２の光源と、データの送信状態を検出する検出手段と、データの送信状態に基づき、データの送信開始からデータの送信が成功するまで、第１の光源および第２の光源の少なくともいずれかを点灯状態に維持する光源制御手段とを備える、携帯端末装置が提供される。
【００１９】
この局面によれば、データの送信状態に応じて表示部と操作部の点灯／消灯を制御することによって、より確実にユーザにデータの送信に失敗したことを知らしめることができる。
【００２０】
好ましくは、光源制御手段は、データの送信が失敗した場合であっても、外部からの指示が入力されると点灯状態を解除する。
【００２１】
好ましくは、光源制御手段は、データの送信動作中は第２の光源を消灯させる。
好ましくは、光源制御手段は、データの送信が失敗した場合に、外部からの指示が入力されるまで第１の光源を点滅させる。
【００２２】
好ましくは、光源制御手段は、データの送信が失敗した場合に、外部からの指示が入力されるまで第２の光源を点滅させる。
【００２３】
好ましくは、データの送信が失敗したと判断された場合に、外部からの指示が入力されるまで音声による警告を発するスピーカをさらに備える。
【００２４】
好ましくは、データの送信が失敗したと判断された場合に、外部からの指示が入力されるまで携帯端末装置を振動させる振動装置をさらに備える。
【００２５】
この発明のさらに別の局面に従うと、データ送信可能な携帯端末装置に、データの送信状態に応じて第１の光源を点灯もしくは消灯させる光源制御プログラムであって、携帯端末装置は、外部からの指示を受け付ける操作部と、データを送信する送信部と、情報を表示する表示部と、表示部から発光するための光を発する第１の光源とを備え、プログラムは、携帯端末装置に、外部からの指示が第１の所定期間入力されない場合に、第１の光源を消灯させるステップと、データの送信動作が開始されると、消灯させるステップを無効化するステップと、データの送信が成功したか否かを判断するステップと、データの送信が成功したと判断された場合に、消灯させるステップを有効化するステップと実行させる。
【００２６】
この発明のさらに別の局面に従うと、データ送信可能な携帯端末装置に、データの送信状態に応じて第１の光源を点灯もしくは消灯させる光源制御プログラムであって、携帯端末装置は、外部からの指示を受け付ける操作部と、データを送信する送信部と、情報を表示する表示部と、表示部から発光するための光を発する第１の光源とを備え、プログラムは、携帯端末装置に、第１の所定期間外部からの指示が入力されない場合に、第１の光源を消灯させるステップと、データの送信が成功したか否かを判断するステップと、データの送信が失敗したと判断された場合に、消灯させるステップを無効化するステップと、外部からの指示が入力されると消灯させるステップを有効化するステップとを実行させる。
【発明の効果】
【００２７】
以上のように、本発明に係る携帯端末装置および光源制御プログラムによって、より確実にユーザにデータの送信に失敗したことを知らしめることが可能になる。
【発明を実施するための最良の形態】
【００２８】
以下、図面に基づいて本発明の実施の形態について説明する。なお以下の説明では、同一の部品については同一の符号を付すものとし、前記部品の名称や機能が同一である場合には、前記部品についての詳細な説明は繰り返さない。
【００２９】
また、以下では、携帯電話１００を、本発明の「携帯端末装置」の一例として説明を行なうこととする。ただし、本発明は、ＰＤＡなどの他の携帯端末装置にも適用可能なものである。
【００３０】
［実施の形態１］
＜全体構成＞
まず、携帯端末装置の第１の実施の形態としての携帯電話１００について説明する。図１は、本実施の形態に係る携帯電話１００を示す外観斜視図である。図１には、携帯端末装置として、代表的に折畳式の携帯電話１００を示すが、このような形式に限定されるものではない。そして、図１は、携帯電話１００の筐体５５，５６を開いた状態における正面側の斜視図である。
【００３１】
図１に示すように、携帯電話１００は、第１の筐体５５と、第２の筐体５６と、第１のスピーカ５１と、図示しない第２のスピーカと、メインディスプレイ５２（後述するＬＣＤ１２１とＬＣＤバックライト１２２などから構成される。）と、操作キー１３と、マイク５４とを含む。第１の筐体５５と第２の筐体５６とは、接続部５７にて折畳み可能に接続されている。
【００３２】
操作キー５３は、複数の機能キーを含む機能キー群５８と、数字等の入力のためのテンキーを含むテンキー群５９とを有する。機能キー群５８は、メインディスプレイ５２の少なくとも一部（メインディスプレイ５２全体、またはメインディスプレイ５２上に表示されたカーソル等）を上下左右それぞれに所定の距離だけ移動させるための方向キーや、移動したカーソル等に対応する処理に決定することを入力するための決定キーなどを含む。
【００３３】
＜ハードウェア構成＞
次に、本実施の形態に係る携帯電話１００のハードウェア構成について説明する。図２は、本実施の形態に係る携帯電話１００のハードウェア構成を示すブロック図である。図２に示すように、本実施の形態に係る携帯電話１００は、ＣＰＵ（Central processing unit）１１と、表示制御部１２と、ＬＣＤ（Liquid Crystal Display）１２１と、ＬＣＤバックライト１２２と、操作キー１３、キーバックライト１４と、通信制御部１５と、無線部１５１と、アンテナ１５２と、電源回路１６と、第１のメモリ１７と、第２のメモリ１８と、周辺Ｉ／Ｆ（Inter Face）回路１９と、第１のスピーカ５１と、第２のスピーカ６１と、振動装置２３と、それらを互いに接続する内部バス２０とを有する。
【００３４】
ＣＰＵ１１は、携帯電話１００の各部を制御するものであって、各種演算処理を行うものである。ＣＰＵ１１は、当該演算結果をＬＣＤ１２１に表示させる。また、ＣＰＵ１１は、通信制御部１５と無線部１５１とアンテナ１５２と連携しながら、電子メールの送受信などのデータ通信機能を実現する。そして、第２のメモリ１８に記憶されている制御プログラムを読み出して、当該プログラムを実行することによって、後述する各機能を実現し、各処理を実行する。より詳細には、携帯電話１００にて行われる各処理は、たとえば、第２のメモリ１８に格納された各種の処理手順に関するプログラムが一旦第１のメモリ１７へと読み出され、読み出された前記プログラムがＣＰＵ１１上で実行されることによって、実現されるものである。ただし、携帯電話１００は、各機能を実現する専用の各種回路などを備える構成であってもよい。
【００３５】
表示制御部１２は、ＣＰＵ１１の命令を受けて、ＬＣＤ１２１やＬＣＤバックライト１２２を制御する。ＬＣＤ１２１は、表示制御部１２の命令を受けてユーザへ様々な情報を表示する。ＬＣＤバックライト１２２は、表示制御部１２の命令を受けてＬＣＤ１２１を背面から照明する。ＬＣＤバックライト１２２によって、ユーザは、暗闇においてもＬＣＤ１２１が表示する文字や画像を認識することができる。より詳しくは、ＬＣＤバックライト１２２が消灯されている場合であっても、ＬＣＤ１２１とＬＣＤバックライト１２２との間に配置される図示しないマジックミラーによって反射される外光によって、ユーザはＬＣＤ１２１の表示する文字や画像を認識することができる。本実施の形態に係る携帯電話１００は、ＬＣＤバックライト１２２のオンとオフとにより、２種類の明るさが実現できる。
【００３６】
操作キー１３は、上述したように、電源キー、数字キー、各種ファンクションキーなど十数個のキースイッチからなり、ユーザからの各種操作を受け付けて、ユーザからの支持をＣＰＵ１１へと入力する。キーバックライト１４は操作キー１３を背面から照らすものであって、暗闇であっても、ユーザはそれぞれの操作キー１３の種類を認識することができる。
【００３７】
通信制御部１５は所定のプロトコルに従って符号化や複合化を行う。無線部１５１は、通信制御部１５からの信号を高周波に変調したり高周波から変調したりする。アンテナ１５２は、無線部１５１からの信号を基地局へ送信したり、基地局から受信したりする。電源回路１６は、図示せぬバッテリと接続されて、携帯電話１００の各部へ電力を供給する。
【００３８】
ただし、表示制御部１２と通信制御部１５の少なくとも一方を、ＣＰＵ１１が実現する構成としてもよい。
【００３９】
第１のメモリ１７は、ワークＲＡＭ(Random Access Memory)として使用される。第１のメモリ１７は、一般的に揮発性のメモリが使用されるが、書き込み可能な不揮発性のメモリであってもよい。より詳細には、本実施の形態に係る第１のメモリ１７は、代表的に、ＤＲＡＭ(Dynamic Random Access Memory)、ＳＲＡＭ(Static Random Access Memory)、ＰＳＲＡＭ(Pseudo-SRAM、擬似ＳＲＡＭ)、ＳＤＲＡＭ(Synchronous DRAM)などによって実現される。
【００４０】
第２のメモリ１８は、制御プログラムなどのデータを格納する。第２のメモリ１８は、一般的に不揮発性のメモリが使用される。第２のメモリ１８は、代表的に、ＥＥＰＲＯＭ（Electrically EPROM）、ＮＡＮＤ型フラッシュメモリ、ＮＯＲ型フラッシュメモリ、ハードディスクなどによって実現される。なお、制御プログラム以外のデータ（フォントデータ、調整データ、ユーザ設定等）は、主に第２のメモリ１８に格納されるが、一時的に第１のメモリ１７に格納される構成であってもよい。
【００４１】
周辺Ｉ／Ｆ回路１９は、イヤホンマイクや充電器やＵＳＢ（Universal Serial Bus：ユニバーサルシリアルバス）などの他の機器と接続する際に中継点（接続部）となるものである。
【００４２】
第１のスピーカ５１は、通話音声が出力されるものであって、筐体５５の内側に設けられている。一方、第２のスピーカ６１は、着信音声や、ハンズフリー通話の際の通話音声が出力されるものであって、たとえば筐体５６の側面に設けられるものである。
【００４３】
振動装置２３は、たとえばＣＰＵ１１にて制御されるモータの回転軸に、その回転中心から偏心させる状態で錘を付けて構成されるものである。ＣＰＵ１１が振動装置２３を駆動させることによって、錘の回転による振動が携帯電話１００の筐体を介して当該携帯電話を保持しているユーザへと伝わる。
【００４４】
図１および図２に示すように、第１の筐体５５および第２の筐体５６の内部には、図示せぬ回路基板が格納されており、当該回路基板上にＣＰＵ１１、表示制御部１２、通信制御部１５、無線部１５１、電源回路１６、第１のメモリ１７、第２のメモリ１８、周辺Ｉ／Ｆ回路１９などが実装されている。さらに、当該回路基板に対して、フレキシブル基板などを用いて、ＬＣＤ１２１、ＬＣＤバックライト１２２、操作キー１３、キーバックライト１４、アンテナ１５２が接続されている。なお、操作キー１３やキーバックライト１４に関しては、回路基板上に直接実装されてもよい。
【００４５】
本実施の形態に係る携帯端末装置および光源制御処理は、携帯電話１００などのハードウェアと制御プログラムなどのソフトウェアとによって実現される。一般的にこうしたソフトウェアは、製造時に第２のメモリ１８に格納されたり、ユーザがネットワークなどを介してダウンロードすることによって流通する。そして、前記ソフトウェアは、第２のメモリ１８から第１のメモリ１７に読出されてＣＰＵ１１により実行される。
【００４６】
＜機能構成＞
図３は、本実施の携帯に係る携帯電話１００の機能構成を示すブロック図である。図３に示すように、携帯端末装置は、表示部１２１−１と、第１の光源１２２−１と、操作部１３−１と、第２の光源１４−１と、送信部１５−１と、スピーカ５１−１と、振動装置２３と、第１の消灯部１１−２と、第１の無効化部１１−３と、判断部（検出部）１１−４と、第１の有効化部１１−５と、点滅部１１−６と、第２の消灯部１１−８を含む。
【００４７】
ここで、第１の消灯部１１−２と、第１の無効化部１１−３と、判断部１１−４と、第１の有効化部１１−５と、点滅部１１−６と、第２の消灯部１１−８とは、制御装置１１−１によって実現されるものである。制御装置１１−１は、たとえばＣＰＵ１１や表示制御部１２や通信制御部１５などの演算処理装置と、制御装置１１−１に含まれる上記の各機能を実現するための制御プログラムとによって実現されるものである。また、消灯部１１−２と、第１の無効化部１１−３と、第１の有効化部１１−５と、点滅部１１−６と、第２の消灯部１１−８とは光源制御部１１−７を構成する。
【００４８】
以下、携帯端末装置が有する各種機能について説明するが、前述したように以下の各ブロックの機能や各ステップの処理は、ＣＰＵ１１等によって実現される制御装置１１−１上で実行されるソフトウェアによって実現される構成としてもよいし、各々を専用のハードウェア回路等によって実現してもよい。
【００４９】
まず、表示部１２１−１は、ＬＣＤ１２１によって実現されるものであって、たとえばＣＰＵ１１の演算結果などの情報を表示する。第１の光源１２２−１は、ＬＣＤバックライト１２２によって実現されるものであって、表示部１２１−１を照らすことによって、表示部１２１−１で表示されている内容をユーザなどに知らしめる。第１の光源１２２−１は、第１の消灯部１１−２と点滅部１１−６とを含む光源制御部１１−７からの指令に応じてオンとオフとが切り替えられるものである。第１の光源１２２−１は、表示部１２１−１に照明を当てることによって、暗闇においても表示部１２１−１が表示する内容をユーザに認識させることができる。
【００５０】
操作部１３−１は、たとえば操作キー１３によって実現されるものであって、外部からの指示を受け付ける。ここで、「受け付ける」とは、少なくともデータや信号を制御装置１１−１に与えるための動作を含む概念であって、たとえばユーザなどによる外部からの操作に対するコマンドを生成して制御装置１１−１へ与える動作も含む概念である。加えて、「受け付ける」とは、制御装置１１−１が操作キーや音声入力などによって人間からの情報を受け付ける動作だけでなく、他のプログラムや他の媒体などからデータや信号を受け付けて制御装置１１−１へ与える動作も含む概念である。
【００５１】
そして、本実施の形態においては、操作部１３−１が、携帯電話１００の下部筐体５６に設けられている操作キー１３によって実現されているが、たとえば表示部１２１−１を実現するタッチパネルによって実現されるものであってもよい。操作部１３−１がタッチパネルによって実現される場合には、ユーザはスタイラスペンなどを用いて指示を入力する構成であってもよい。
【００５２】
第２の光源１４−１は、たとえば操作キー１３の背面に設けられているキーバックライト１４によって実現されるものであって、操作部１３を照らすことによって、ユーザによる操作部１３−１への入力を容易なものにする。操作部１３−１が、表示部１２１−１を実現するタッチパネルによって実現される場合には、第２の光源１４−１を第１の光源１２２−１が実現する構成であってもよい。
【００５３】
送信部１５−１は、たとえば通信制御部１５と無線部１５１とアンテナ１５２とによって実現されるものであって、外部（たとえばユーザ）からの指示に応じて外部のネットワークなどにデータを送信する。送信部１５−１は、たとえば、外部のネットワークとデータパケットの送受信を行うものである。そして、受け取るデータパケットの内容から、電子メールが相手側に受信されたことや、送信先アドレスに該当する相手がいないことなどを把握することができる。
【００５４】
次に、第１の消灯部１１−２と、第１の無効化部１１−３と、判断部１１−４と、第１の有効化部１１−５と、点滅部１１−６と、光源制御部１１−７とは、たとえば第２のメモリ１８から第１のメモリ１７へと読み出されたプログラムがＣＰＵ１１上で実行されることによって実現される。つまり、第２のメモリ１８に記憶されたプログラムが一旦第１のメモリ１７へと読み出されて、ＣＰＵ１１が第１のメモリ１７から前記プログラムを読み出しながら順次実行することによって、以下の光源制御処理などの機能が実現される。
【００５５】
このようにして、第１の消灯部１１−２は、操作部１３−１を通じて、第１の所定期間外部（たとえばユーザ）からの指示が入力されない場合に、第１の光源１２２−１を消灯させる、すなわち「省電力モード」へと移行させる。また、第１の消灯部１１−２は、操作部１３−１を通じて、第１の所定期間外部からの指示が入力されない場合に、第２の光源１４−１を消灯させる、すなわち「省電力モード」へと移行させる。このように、一定期間ユーザからの入力が行われない場合に、自動的に第１の光源１２２−１や第２の光源１４−１を消灯させることにより、携帯端末装置における電力の消耗を低減している。
【００５６】
第１の無効化部１１−３は、データの送信動作が開始されると、すなわち送信部１５−１にて電子メールなどの送信動作が開始されると、消灯部１１−２の機能を無効化する。つまり、第１の所定期間ユーザからの指示が入力されない場合であっても、たとえば電子メールの送信動作中は、第１の光源１２２−１と第２の光源１４−１を消灯させないのである。これによって、ユーザによる操作無くして、ユーザは送信動作中であるか送信動作が完了したか否かを把握することができる。
【００５７】
判断部１１−４は、送信部１５−１からの情報に基づいて、データの送信が成功したか否かを判断する。たとえば、上述したように、送信部１５−１から渡されるデータパケットの内容から、電子メールが相手側に受信されたことや、送信先アドレスに該当する相手がいないことなどを把握して、そのようなデータ送信状態を第１のメモリ１７に記憶することができる。
【００５８】
第１の有効化部１１−５は、データの送信が成功したと判断された場合に、第１の消灯部１１−２の機能を再度有効化する。すなわち、判断部１１−４によってデータの送信が成功したと判断された場合には、第１の消灯部１１−２によって第１の所定期間ユーザからの指示が入力されない場合に第１の光源１２２−１が消灯する状態となる。
【００５９】
また、第１の有効化部１１−５は、前記データの送信が失敗したと判断された場合であっても、操作部１３−１に外部からの指示が入力されると消灯部１１−２の機能を有効化する。すなわち、判断部１１−４によってデータの送信が失敗したと判断された場合であっても、操作部１３−１を通じてユーザからの入力を待つ。そして、操作部１３−１を通じて、ユーザからの入力を受け付けると、第１の消灯部１１−２によって第１の所定期間ユーザからの指示が入力されない場合に第１の光源１２２−１が消灯する状態となる。
【００６０】
第２の消灯部１１−８は、外部の入力があるか否かにかかわらず、データの送信動作中は第２の光源１４−１を消灯させる。ここで、データの送信動作中は、操作部１３−１が外部からの入力を受け付けない構成としてもよい。
【００６１】
そして、点滅部１１−６は、判断部１１−４によってデータの送信が失敗したと判断された場合に、外部からの指示が入力されるまで第１の光源１２２−１を点滅させる。すなわち、判断部１１−４によってデータの送信が失敗したと判断された場合、第１の消灯部１１−２が第１の光源１２２−１と第２の光源１４とを消灯する状態とはなっていない。このとき、点滅部１１−６が、第１の光源を１２２−１を点滅させるようにするのである。これによって、ユーザに、データの送信が失敗した旨をより確実に知らしめることが可能になる。また、点滅部１１−６は、判断部１１−４によってデータの送信が失敗したと判断された場合に、外部からの指示が入力されるまで第２の光源１４−１を点滅させる。
【００６２】
換言すれば、判断部（検出部）１１−４は、送信部１５−１からの情報に基づいてデータの送信状態を検出する。具体的には、判断部１１−４は、ＣＰＵ１１もしくは第１のメモリ１７に格納されている電子メールの送信ステータスを検出する。具体的には、判断部１１−４は、送信部１５−１からの情報に基づいて、メール送信中、メール送信成功、メール送信失敗の各状態を判断する。例えば、ＣＰＵ１１の図示せぬ内部レジスタのメール送信状態に関する箇所を読み出し、ＣＰＵ１１へ携帯電話機がメール送信中、メール送信成功、メール送信失敗のどの状態にあるのかを検出して、当該状態を光源制御部１１−７に伝達する。
【００６３】
そして、光源制御部１１−７が、データの送信状態に応じて、第１の光源１２２−１と第２の光源１４−１とを点灯させたり、点滅させたり、消灯させたりする。具体的には、光源制御部１１−７は、データの送信状態に基づき、データの送信開始からデータの送信が成功するまで、第１の光源１２２−１および第２の光源１４−１の少なくともいずれかを点灯状態に維持する。光源制御部１１−７は、データの送信が失敗した場合であっても、外部からの指示が入力されると点灯状態を解除する。また、光源制御手段１１−７は、データの送信動作中は第２の光源１４−１を消灯させる。光源制御手段１１−７は、データの送信が失敗した場合に、外部からの指示が入力されるまで第１の光源１２２−１を点滅させる。加えて、光源制御手段１１−７は、データの送信が失敗した場合に、外部からの指示が入力されるまで第２の光源１４−１を点滅させる。
【００６４】
スピーカ５１−１は、第１のスピーカ５１と第２のスピーカ６１の少なくともいずれかによって実現されるものであって、判断部１１−４によってデータの送信が失敗したと判断された場合に、外部からの指示が入力されるまで音声による警告を発する。当該音声は、データ送信が失敗したとき専用のメロディーであることが好ましい。スピーカ５１−１による音声は、外部から入力があるまで出力してもよいし、ユーザによって予め設定された所定時間だけ出力するものであってもよい。
【００６５】
振動装置２３は、判断部１１−４によってデータの送信が失敗したと判断された場合に、外部からの指示が入力されるまで携帯端末装置自体を振動させる。振動装置２３による振動は、外部から入力があるまで出力してもよいし、ユーザによって予め設定された所定時間だけ振動するものであってもよい。
【００６６】
＜光源制御処理＞
次に、本実施の形態に係る処理について説明する。図４は、本実施の形態に係る携帯電話１００における光源制御処理の流れを示すフローチャートである。以下では、データ送信の一例として、電子メールの送信を行う場合について説明を行う。
【００６７】
まず、携帯電話１００は、通常、ユーザからの入力が一定時間無かった場合にＬＣＤバックライト１２２とキーバックライト１４とを消灯するモード、すなわち省電力モードへ移行するように構成されている。このような省電力モードへ移行可能な状態は、第１の消灯部１１−２が有効である状態である。逆に、省電力モードへの移行が禁止されている状態は、第１の消灯部１１−２が無効化された状態である。
【００６８】
図４に示すように、携帯電話１００のメールソフトが起動して、ユーザが操作キー１３を用いて宛先、件名、本文を入力してメール送信キーを押下すると、すなわちユーザからの命令によって電子メールが通信制御部１５から送信されると（ステップ１０１にてＹＥＳの場合、以下ステップをＳと略す。）、第１の無効化部１１−３として機能するＣＰＵ１１が光源制御プログラムを起動する。すなわち、ＣＰＵ１１は、省電力モードへの移行禁止を表示制御部１２に指示する（Ｓ１０２）。そして、ＣＰＵ１１はメール送信ステータスの取得を開始して、メール送信ステータスが電子メールの送信中であるかどうかの判断を行う（Ｓ１０３）。
【００６９】
メール送信ステータスが、送信中であった場合（Ｓ１０３にてＹＥＳの場合）、ＣＰＵ１１はメール送信ステータスの取得とメール送信中であるか否かの判断を繰り返す。メール送信ステータスが、送信中で無かった場合（Ｓ１０３にてＮＯの場合）、ＣＰＵ１１はメールの送信が正常に完了（成功）したか否かの判断を行う（Ｓ１０４）。
【００７０】
メール送信ステータスが送信成功であった場合（Ｓ１０４にてＹＥＳの場合）、ＣＰＵ１１は表示制御部１２に対して表示機能をオフするよう指示する（Ｓ１０５）。そして、表示制御部１２は、ＣＰＵ１１からの表示をオフする指示に基づいてＬＣＤ１２１とＬＣＤバックライト１２２をオフ状態にした後、省電力モードへの移行禁止を解除して（Ｓ１０６）、光源制御プログラムを終了する。
【００７１】
一方、メール送信ステータスが送信失敗であった場合（Ｓ１０４にてＮＯの場合）、ＣＰＵ１１は、ＬＣＤ１２１にメール送信失敗ポップアップ表示を表示するよう指示する（Ｓ１０７）。
【００７２】
ここで、図５は携帯端末装置がデータ送信を失敗した場合における表示部１２１−１の表示内容の一例を示すイメージ図である。判断部１１−４が電子メールの送信が失敗したと判断すると、表示部１２１−１はたとえば図５に示すような画面を表示する。表示部１２１−１は、メール送信失敗ポップアップ表示６４、電波受信感度表示６１、外部メモリ状態表示６２、電池残量表示６３などを示す。
【００７３】
メール送信失敗ポップアップ表示６４は、メール送信に失敗した場合にメール送信に失敗した旨のダイアログボックスを表示するためのものであって、当該表示によってユーザに送信失敗を連絡する。電波受信感度表示６１は、周辺の電波強度を模式的に表現したものであり、周囲の電波強度が弱くなるにつれて右側の縦棒が３本→２本→１本→０本と次第に少なくなっていき、完全に電波が遮断されると「圏外」と表示される。外部メモリ状態表示６２は外部メモリの挿抜状態を表すものであり、ＳＤカードなどの外部メモリが携帯電話機に挿入されていれば表示、挿入されていなければ非表示となる。電池残量表示６３は、携帯電話機の内部バッテリの残量を模式的に表したものであり、電池残量が少なくなるにつれて表示の白抜きの部分が３個→２個→１個と次第に少なくなっていき、完全に残量がなくなると０個になる。
【００７４】
そして、ＣＰＵ１１は、操作キー１３や周辺Ｉ／Ｆ回路１９など外部からの入力があるか否かを判断する（Ｓ１０８）。そして、ＣＰＵ１１は、外部からの入力がない場合（Ｓ１０８にてＮＯの場合）、当該判断を所定時間繰り返す（Ｓ１０９）。外部からの入力を待つ時間は、ユーザが予め設定可能な時間であってもよいし、携帯電話１００に予め定められている時間であっても良い。もし外部からの入力が行われた場合（Ｓ１０８にてＹＥＳの場合）、ＣＰＵ１１は省電力モードへの移行禁止を解除し（Ｓ１０６）、光源制御プログラムを終了する。
【００７５】
一定時間が経過しても外部からの入力が行われなかった場合（Ｓ１０９にてＹＥＳの場合）、第１のスピーカ５１もしくは第２のスピーカ６１から音声を出力したり、振動装置２３を振動させることによって、ユーザへ電子メールの再送を促す（Ｓ１１０）。その後、外部からの入力を待つステップへ戻る（Ｓ１０８）。第１のスピーカ５１もしくは第２のスピーカ６１からの音声出力や、振動装置２３の振動は所定時間実行するものであってもよいし、外部からの入力を受け付ける（Ｓ１０８にてＹＥＳ）まで実行するものであってもよい。
【００７６】
ここで、Ｓ１０２において、ＣＰＵ１１から表示制御部１２に対して省電力モードへの移行禁止が指示されているため、送信失敗であった場合（Ｓ１０４にてＮＯの場合）、ＬＣＤ１２１とＬＣＤバックライト１２２がオフ状態にされずに常に点灯したままになる。これによって、送信を失敗したことが目視できるようになるため、ユーザへメールの再送を促すことができる。さらに、送信成功した場合はＬＣＤ１２１とＬＣＤバックライト１２２とがオフされ、送信失敗した場合はＬＣＤ１２１とＬＣＤバックライト１２２とがオンされるため、ユーザがわざわざＬＣＤ１２１とＬＣＤバックライト１２２とをオンにせずとも送信成功を知ることができ、送信状態の確認のためだけに携帯電話１００を操作する煩わしさを解消することができる。そして、ＬＣＤ１２１とＬＣＤバックライト１２２とをオフ状態にする方法は、供給電源を遮断しても良いし、デバイスに内蔵してあるスリープモードを実行してもよいし、オフ状態が実現できればよいものである。
【００７７】
＜変形例１＞
次に、携帯電話１００の変形例について説明する。本変形例に係る携帯電話２００は、光源制御処理における処理手順においてのみ携帯電話１００と異なるものである。全体構成とハードウェア構成と機能構成については、図１〜図３に示した携帯電話１００と同様であるので、ここでは説明を繰り返さない。
【００７８】
以下では、本実施の形態に係る携帯電話２００における光源制御処理について説明する。図６は、本変形例に係る携帯電話２００における光源制御処理の処理手順を示すフローチャートである。
【００７９】
まず、携帯電話２００は、通常、ユーザからの入力が一定時間無かった場合にＬＣＤバックライト１２２とキーバックライト１４とを消灯するモード、すなわち省電力モードへ移行するように構成されている。
【００８０】
そして、図６に示すように、ユーザが携帯電話２００のメールソフトを起動して、操作キー１３を用いて宛先、件名、本文を入力してメール送信キーを押下すると、すなわちユーザからの命令によって電子メールが通信制御部１５から送信されると（ステップ２０１にてＹＥＳの場合、以下ステップをＳと略す。）、第１の無効化部１１−３として機能するＣＰＵ１１が光源制御プログラムを起動する。すなわち、ＣＰＵ１１は、省電力モードへの移行禁止を表示制御部１２とＣＰＵ１１が実現する操作キー制御部とに指示する（Ｓ２０２）。そして、ＣＰＵ１１はメール送信ステータスの取得を開始して、メール送信ステータスが電子メールの送信中であるかどうかの判断を行う（Ｓ２０３）。
【００８１】
メール送信ステータスが、送信中であった場合（Ｓ２０３にてＹＥＳの場合）、ＣＰＵ１１はキーバックライト１４を消灯させる（Ｓ２０４）。そして、ＣＰＵ１１は、メール送信ステータスの取得とメール送信中であるか否かの判断を繰り返す。メール送信ステータスが、送信中で無かった場合（Ｓ２０３にてＮＯの場合）、ＣＰＵ１１はメールの送信が正常に完了（成功）したか否かの判断を行う（Ｓ２０５）。
【００８２】
メール送信ステータスが送信成功であった場合（Ｓ２０５にてＹＥＳの場合）、ＣＰＵ１１は表示制御部１２に対して表示機能をオフするよう指示する（Ｓ２０６）。そして、表示制御部１２は、ＣＰＵ１１からの表示オフ指示を元にＬＣＤ１２１とＬＣＤバックライト１２２をオフ状態にした後、省電力モードへの移行禁止を解除して（Ｓ２０７）、光源制御プログラムを終了する。
【００８３】
一方、メール送信ステータスが送信失敗であった場合（Ｓ２０５にてＮＯの場合）、ＣＰＵ１１は、ＬＣＤ１２１に図５に示したようなメール送信失敗ポップアップ表示を表示するよう指示する（Ｓ２０８）。同時に、ＣＰＵ１１は、キーバックライト１４を点灯させる（Ｓ２０９）。ただし、ＣＰＵ１１は、Ｓ２０９においてＬＣＤバックライト１２２−１とキーバックライト１４とを点滅させる構成であってもよい。
【００８４】
そして、ＣＰＵ１１は、操作キー１３や周辺Ｉ／Ｆ回路１９など外部からの入力があるか否かを判断する（Ｓ２１０）。そして、ＣＰＵ１１は、外部からの入力がない場合（Ｓ２１０にてＮＯの場合）、当該判断を所定時間繰り返す（Ｓ２１１）。外部からの入力を待つ時間は、ユーザが予め設定可能な時間であってもよいし、携帯電話１００に予め定められている時間であっても良い。もし外部からの入力が行われた場合（Ｓ２１０にてＹＥＳの場合）、ＣＰＵ１１は省電力モードへの移行禁止を解除し（Ｓ２０７）、光源制御プログラムを終了する。
【００８５】
一定時間が経過しても外部からの入力が行われなかった場合（Ｓ２１１にてＹＥＳの場合）、第１のスピーカ５１もしくは第２のスピーカ６１からメロディー音声を出力したり、振動装置２３を振動させることによって、ユーザへ電子メールの再送を促す（Ｓ２１２）。その後、外部からの入力を待つステップへ戻る（Ｓ２１０）。第１のスピーカ５１もしくは第２のスピーカ６１からの音声出力や、振動装置２３の振動は所定時間実行するものであってもよいし、外部からの入力を受け付ける（Ｓ２１０にてＹＥＳ）まで実行するものであってもよい。
【００８６】
このように、本変形例においては、メール送信動作の開始後、直ちにキーバックライト１４を消灯するため実施の形態１に係る携帯電話１００よりも消費電力を削減できる。実施の形態１と同様に、送信が成功した場合は、ＬＣＤ１２１、ＬＣＤバックライト１２２、キーバックライト１４が消灯される。また、送信が失敗した場合は、ＬＣＤ１２１、ＬＣＤバックライト１２２、キーバックライト１４が点灯（点滅）するため、ユーザが電子メールの送信が成功したか失敗したかを容易に知ることができる。その結果、ユーザが送信状態の確認のために携帯電話１００を操作する煩わしさから開放される。
【００８７】
［実施の形態２］
次に、携帯端末装置の実施の形態２について説明する。本実施の形態に係る携帯電話３００は、機能構成の一部と光源制御処理における処理手順において携帯電話１００と異なるものである。全体構成およびハードウェア構成については、図１および図２に示した携帯電話１００と同様であるので、ここでは説明を繰り返さない。
【００８８】
図７は、本実施の形態に係る携帯電話３００の機能構成を示す機能ブロック図である。図７に示すように、携帯端末装置は、表示部１２１−１と、第１の光源１２２−１と、操作部１３−１と、第２の光源１４−１と、送信部１５−１と、スピーカ５１−１と、振動装置２３と、第１の消灯部１１−２と、第２の無効化部１１−９と、判断部（検出部）１１−４と、第２の有効化部１１−１０と、点滅部１１−６と、第２の消灯部１１−８を含む。以上のように、実施の形態２に係る携帯電話３００は、実施の形態１に係る携帯電話１００と比較して、第２の無効化部１１−９と第２の有効化部１１−１０とが異なるものである。
【００８９】
そして、実施の形態１と同様に、第１の消灯部１１−２と、第２の無効化部１１−９と、判断部１１−４と、第２の有効化部１１−１０と、点滅部１１−６と、第２の消灯部１１−８とは、制御装置１１−１によって実現されるものである。また、消灯部１１−２と、第１の無効化部１１−９と、第１の有効化部１１−１０と、第２の消灯部１１−８と、点滅部１１−６とは光源制御部１１−７を構成する。以下、携帯端末装置が有する各種機能について説明するが、実施の形態１において説明した機能ブロックについての説明は繰り返さない。
【００９０】
第２の無効化部１１−９と、第２の有効化部１１−１０とは、たとえば第２のメモリ１８から第１のメモリ１７へと読み出されたプログラムがＣＰＵ１１上で実行されることによって実現される。つまり、第２のメモリ１８に記憶されたプログラムが一旦第１のメモリ１７へと読み出されて、ＣＰＵ１１が第１のメモリ１７から前記プログラムを読み出しながら順次実行することによって、以下の光源制御部や光源制御処理が実現される。
【００９１】
このようにして、第２の無効化部１１−９は、送信部１５−１による前記データの送信が失敗したと判断された場合に、前記消灯部１１−２を無効化する。つまり、電子メールの送信に失敗した場合は、第１の所定期間ユーザからの指示が入力されない場合であっても、第１の光源１２２−１と第２の光源１４−１を消灯させないのである。これによって、ユーザによる操作無くして、ユーザは送信動作中であるか送信動作が完了したか否かを把握することができる。
【００９２】
そして、第２の有効化部１１−５は、たとえば操作部１３−１を介して外部からの指示が入力されると前記第１の消灯部１１−２を有効化する。すなわち、判断部１１−４によってデータの送信が失敗したと判断された場合であっても、第２の有効化部１１−５は、操作部１３−１を通じてユーザからの入力を待つ。そして、操作部１３−１を通じて、ユーザからの入力を受け付けると、再度、第１の消灯部１１−２によって第１の所定期間ユーザからの指示が入力されない場合に第１の光源１２２−１が消灯する状態へと戻る。
【００９３】
以下では、本実施の形態に係る携帯電話３００における光源制御処理について説明する。図８は、本実施の形態に係る携帯電話３００における光源制御処理の処理手順を示すフローチャートである。
【００９４】
まず、携帯電話３００は、通常、ユーザからの入力が一定時間無かった場合にＬＣＤバックライト１２２とキーバックライト１４とを消灯するモード、すなわち省電力モードへ移行するように構成されている。
【００９５】
そして、図８に示すように、携帯電話３００のメールソフトが起動して、ユーザが操作キー１３を用いて宛先、件名、本文を入力してメール送信キーを押下すると、すなわちユーザからの命令によって電子メールが通信制御部１５から送信されると（ステップ３０１にてＹＥＳの場合、以下ステップをＳと略す。）、第２の無効化部１１−９として機能するＣＰＵ１１が光源制御プログラムを起動する。
【００９６】
本実施の形態においては、このタイミングでは、未だＣＰＵ１１が省電力モードへの移行禁止を指示しないように構成されている。つまり、本実施の形態においては、電子メールの送信中は省電力モードへの移行が禁止されていないため、ユーザによる最後の操作から所定時間（ユーザによって設定可能な時間であって、十数秒程度であることが好ましい。）が経過すると、第１の消灯部１１−２として機能するＣＰＵ１１がＬＣＤバックライト１２２とキーバックライト１４とを消灯する。
【００９７】
そして、ＣＰＵ１１はメール送信ステータスの取得を開始して、メール送信ステータスが電子メールの送信中であるかどうかの判断を行う（Ｓ３０２）。メール送信ステータスが送信中である場合（Ｓ３０２にてＹＥＳの場合）、メール送信ステータスの取得とメール送信中であるか否かの判断を繰り返す（Ｓ３０２）。ここで、上記の変形例と同様に、メール送信ステータスが、送信中であった場合（Ｓ３０２にてＹＥＳの場合）、ＣＰＵ１１がキーバックライト１４を消灯させる構成としてもよい。メール送信ステータスが、送信中で無かった場合（Ｓ３０２にてＮＯの場合）、ＣＰＵ１１はメールの送信が正常に完了（成功）したか否かの判断を行う（Ｓ３０３）。
【００９８】
メール送信ステータスが送信成功であった場合（Ｓ３０３にてＹＥＳの場合）、ＣＰＵ１１はＬＣＤバックライト１２２（表示制御部１２）とキーバックライト１４に消灯するよう指示する（Ｓ３０４）。そして、表示制御部１２は、ＣＰＵ１１からの表示オフ指示を元にＬＣＤ１２１とＬＣＤバックライト１２２を消灯状態にした後、光源制御プログラムを終了する。
【００９９】
一方、メール送信ステータスが送信失敗であった場合（Ｓ３０３にてＮＯの場合）、ＣＰＵ１１は、ＬＣＤ１２１に図５に示したようなメール送信失敗ポップアップ表示を表示するよう指示する（Ｓ３０５）。同時に、ＣＰＵ１１は、ＬＣＤバックライト１２２とキーバックライト１４とを点灯させる（Ｓ３０６）。
【０１００】
そして、ＣＰＵ１１は、省電力モードへの移行禁止を表示制御部１２とＣＰＵ１１が実現する操作キー制御部とに指示する（Ｓ３０７）。ＣＰＵ１１は、操作キー１３や周辺Ｉ／Ｆ回路１９など外部からの入力があるか否かを判断する（Ｓ３０８）。そして、ＣＰＵ１１は、外部からの入力がない場合（Ｓ３０８にてＮＯの場合）、当該判断を所定時間繰り返す（Ｓ３０９）。外部からの入力を待つ時間は、ユーザが予め設定可能な時間であってもよいし、携帯電話１００に予め定められている時間であっても良い。もし外部からの入力が行われた場合（Ｓ３０８にてＹＥＳの場合）、ＣＰＵ１１は省電力モードへの移行禁止を解除し（Ｓ３１０）、光源制御プログラムを終了する。
【０１０１】
一定時間が経過しても外部からの入力が行われなかった場合（Ｓ３０９にてＹＥＳの場合）、第１のスピーカ５１もしくは第２のスピーカ６１から音声を出力したり、振動装置２３を振動させることによって、ユーザへ電子メールの再送を促す（Ｓ３１１）。その後、外部からの入力を待つステップへ戻る（Ｓ３０８）。第１のスピーカ５１もしくは第２のスピーカ６１からの音声出力や、振動装置２３の振動は所定時間実行するものであってもよいし、外部からの入力を受け付ける（Ｓ３０８にてＹＥＳ）まで実行するものであってもよい。
【０１０２】
本実施の形態に係る携帯電話３００では、Ｓ３０６においてＣＰＵ１１が、ＬＣＤ１２１、ＬＣＤバックライト１２２、キーバックライト１４をそれぞれ点灯する構成になっている。しかし、Ｓ３０６においてＣＰＵ１１が、ＬＣＤ１２１、ＬＣＤバックライト１２２、キーバックライト１４のオンとオフとを一定時間ごとに切り替えて、点滅させる構成にしてもよい。これによって、電子メールの送信の失敗に対する視認性がさらに向上し、ユーザにより効率的にメールの再送を促すことができる。
【０１０３】
最後に、実施の形態２に係る携帯電話３００と実施の形態１（変形例を含む。）に係る携帯電話１００（２００）との差異を説明する。実施の形態１に係る携帯電話１００と実施の形態２に係る携帯電話３００との差異は、光源制御プログラムを実行中のＣＰＵ１１の命令実行数である。実施の形態１に係る携帯電話１００では、メール送信開始時に省電力モードへの移行禁止を指示するが、実施の形態２に係る携帯電話３００では送信失敗時にのみ省電力モードへの移行禁止を指示する。メール送信に失敗する数はメール送信する数より確実に少ないため、省電力モードへの移行を禁止するための命令実行数が実施の形態２に係る携帯電話３００の方が少なくなり、ＣＰＵ１１の負荷が小さくなることにより、処理をスムーズに行うことができる。
【０１０４】
次に実施の形態１の変形例に係る携帯電話２００と実施の形態２に係る携帯電話３００との差異は、実施の形態２に係る携帯電話３００の方が、命令実行数が少ない点と、メール送信中であってもＬＣＤ１２１とＬＣＤバックライト１２２をオフするために消費電力を低減できる点にある。変形例に係る携帯電話２００では、メール送信中はＬＣＤ１２１とＬＣＤバックライト１２２とが点灯されているが、実施の形態２に係る携帯電話３００ではメール送信失敗時以外は省電力モードへ移行可能なため、ＬＣＤ１２１、ＬＣＤバックライト１２２、キーバックライト１４を、ユーザの最後の操作から一定時間後にオフする。そのため、実施の形態２に係る携帯電話３００の方が消費電力を低減することができる。
【０１０５】
以上の実施形態では折り畳み式携帯電話機への適用例を示したが、それに限らず、ストレート式携帯電話機や、スライド式携帯電話機へも同様に適用することができる。また携帯電話機に限らず、ＰＤＡやノート型ＰＣなどメール送信機能を有する電子機器全般に適用することができることは勿論である。さらに、上記の実施形態ではその電子機器のメインの表示部に適用したが、サブ表示部を有する電子機器においては、そのサブ表示部に対しても同様に適用することができる。さらに、上記の実施形態ではプログラムに適用して実施したが、ハードロジックで実施することも勿論可能であるし、本発明のプログラムをＣＤ−ＲＯＭやＳＤカードといった外部メモリなどに保存して実施することも可能である。
【０１０６】
また、本発明の実施形態では、表示部としてＬＣＤを例に説明したが、表示部は他にも、ＥＬ（Electro Luminescence）やＣＲＴ（Cathode Ray Tube：ブラウン管）、ＰＤＰ（Plasma Display Panel）など、表示できるものであれば適用可能である。さらに、表示部と表示部の照明が分離している必要も無く、表示部自身が発光するような装置でも構わない。操作部は、押し下げ式のメカ・キーを例に説明したが、スライド式のメカ・キーやタッチパネル、静電タッチキーなどユーザが操作するものであれば適用可能である。他にも、ＬＣＤ／キーバックライトはＬＥＤ（Light Emitting Diode：発光ダイオード）を例に説明したが、他にも蛍光灯や電球など発光体であれば何でも良い。さらに、操作部自身が発光するような装置を用いても構わない。また、表示部と操作部が一体化しているような機器にも適用できることは勿論である。
【０１０７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１０８】
【図１】本実施の形態に係る携帯電話を示す外観斜視図である。
【図２】本実施の形態に係る携帯電話のハードウェア構成を示すブロック図である。
【図３】実施の形態１に係る携帯電話の機能構成を示すブロック図である。
【図４】実施の形態１に係る携帯電話における光源制御処理の流れを示すフローチャートである。
【図５】携帯端末装置がデータ送信を失敗した場合における表示部の表示内容の一例を示すイメージ図である。
【図６】変形例に係る携帯電話における光源制御処理の処理手順を示すフローチャートである。
【図７】実施の形態２に係る携帯電話の機能構成を示す機能ブロック図である。
【図８】実施の形態２に係る携帯電話における光源制御処理の処理手順を示すフローチャートである。
【符号の説明】
【０１０９】
１１  ＣＰＵ、１１−１  制御装置、１１−２  消灯部、１１−３  第１の無効化部、１１−４  判断部、１１−５  第１の有効化部、１１−６  点滅部、１１−７  光源制御部、１１−８  第２の消灯部、１１−９  第２の無効化部、１１−１０  第２の有効化部、１３  操作キー、１３−１  操作部、１４  キーバックライト、１４−１  第２の光源、１５  通信制御部、１５−１  送信部、１６  電源回路、１７  第１のメモリ、１８  第２のメモリ、２３  振動装置、５１−１  スピーカ、５２  メインディスプレイ、５４  マイク、１００，２００，３００  携帯電話、１２１  ＬＣＤ、１２１−１  表示部、１２２  バックライト、１２２−１  第１の光源、１５１  無線部、１５２  アンテナ。
【図１】
2009118312.tif 000003
【図２】
2009118312.tif 000004
【図３】
2009118312.tif 000005
【図４】
2009118312.tif 000006
【図５】
2009118312.tif 000007
【図６】
2009118312.tif 000008
【図７】
2009118312.tif 000009
【図８】
2009118312.tif 000010